(57)【要約】【課題】二層式おたまじゃくし状エレメントファスナーの構造を提供する。【解決手段】テープ、チェーン、エレメントで構成する二層式おたまじゃくし状エレメントファスナーの構造であり、上方に位置する上層チェーン２のエレメント２１が鋭い先端に当たると、該上層が下向きに曲がるが、下方に位置する下層チェーン２の左右両サイドのおたまじゃくし状エレメント２１はしっかり掛合するため、上層チェーン２のエレメント２１は下向きに曲がることがない。内外からの力を受けず、及び角の部分に位置しても変形できるが功能は変わらない。また、中央に位置する左右のテープは更に密閉条を設け、該密閉条３３はちょうど該上下層チェーン２のエレメントが形成する間隔内を埋めることになる。【選択図】  図２４
0003173138.tif 000002
【実用新案登録請求の範囲】
【請求項１】
テープ、チェーン、エレメントを含み、
中間の左右に位置するテープ１及び該左右テープ１の上方及び下方に縫い付けている上層チェーン２と下層チェーン２を含み、
該上下層チェーン２はそれぞれ左回りと右回りの螺旋型プラスティックコイルが一セットで二列のエレメント２１を形成し、
各列のエレメント２１の各エレメントはヘッド２１１及びヘッドの前端と繋がるボディ２１２を具有し、二列のエレメントのエレメントのヘッド２１１とボディ２１２は互いに等間隔で掛合し、
該特徴とは、該上層チェーンと下層チェーン２の各エレメントのヘッド前端のボディ２１２はそれぞれ押されて窪み２１２０を形成し、それによってボディ２１２の両側に拡大した凸縁部２１２１及びヘッド２１１と繋がるネック部を形成し、
各エレメント２１はおたまじゃくし状の輪郭を形成し、エレメントを掛合した状況では、中の一列のエレメント２１のヘッド２１１が隣り合うネック部２１２２の間に止まり、更に各掛合したヘッド２１１の先端部とそれぞれ抵触し、
該左右テープの左右対応側の上端面と下端面と内側端にそれぞれ一つの密閉条３３を結合し、更に上下層チェーン２と縫い付けて固定することを特徴とする二層式おたまじゃくし状エレメントファスナーの構造。
【請求項２】
該左右テープは塗布の方法を用いて軟性の密閉条を結合、或いは該左右テープを織る際に軟性密閉条を織り込み、或いは該左右テープを織る際に、糸を捻転して軟性のコード(ＣＯＲＤ)を形成し、上下層を掛合した後、内部スペースを埋めるために使用し、爆裂防止作用を具有し、
また、上下層のエレメントの間に接着剤を入れる及び積層処理により形成する密閉条は、防水、防気機能を具有することを特徴とする請求項１記載の二層式おたまじゃくし状エレメントファスナーの構造。
【請求項３】
前記密閉条は軟性プラスティック或いは軟性ゴムとすることを特徴とする請求項２記載の二層式おたまじゃくし状エレメントファスナーの構造。
【請求項４】
該左右テープは塗布の方法を用いて左右対応側の上端面と下端面と内側端にそれぞれ密閉条３３を結合し、更に上下層チェーン２と縫い付けて固定することを特徴とする請求項１記載の二層式おたまじゃくし状エレメントファスナーの構造。
【請求項５】
該左右テープが結合する密閉条３３は該上下層チェーン２のエレメントが形成する間隔内を埋めることを特徴とする請求項１記載の二層式おたまじゃくし状エレメントファスナーの構造。
【請求項６】
中間の左右に位置するテープ１及び該左右テープ１の上方及び下方に縫い付けている上層チェーン２と下層チェーン２を含み、
該上下層チェーン２はそれぞれ左回りと右回りの螺旋型プラスティックコイルが一セットで二列のエレメント２１を形成し、
各列のエレメント２１の各エレメントはヘッド２１１及びヘッドの前端と繋がるボディ２１２を具有し、二列のエレメントのエレメントのヘッド２１１とボディ２１２は互いに等間隔で掛合し、
該上下層チェーンと下層チェーンの各左右エレメントの左右ヘッドを互いに掛合すると、各ボディのネック部はそれぞれ熱プレス整形後にて窪み２１２３を形成し、且つエレメント２１のボディ２１２両サイドの断面が拡大して凸縁２１２４を形成し、該凸縁は対応方向の互いに掛合ヘッドによってしっかり制限され、該左右ヘッドが互いに掛合し、強固度を増強する二層式おたまじゃくし状エレメントファスナーの構造。
【請求項７】
中間の左右に位置するテープ１及び該左右テープ１の上方及び下方に縫い付けている上層チェーン２と下層チェーン２を含み、
該上下層チェーン２はそれぞれ左回りと右回りの螺旋型プラスティックコイルが一セットで二列のエレメント２１を形成し、
各列のエレメント２１の各エレメントはヘッド２１１及びヘッドの前端と繋がるボディ２１２を具有し、二列のエレメントのエレメントのヘッド２１１とボディ２１２は互いに等間隔で掛合し、
前記二層式おたまじゃくし状エレメントファスナーは、ファスナーを開合できる一つのスライダー４を含み、該スライダー４の本体は胴体中心部位４３を具有し、及び該胴体中心部位４３の上方及び下方に上保護板４１及び下保護板４２を設置し、且つ該上保護板４１上方に柱４１３を具有し、
該特徴とは、該上層チェーンと下層チェーン２の各エレメントのヘッド前端のボディ２１２はそれぞれ押されて窪み２１２０を形成し、それによってボディ２１２の両側に拡大した凸縁部２１２１及びヘッド２１１と繋がるネック部を形成し、
各エレメント２１はおたまじゃくし状の輪郭を形成し、エレメントを掛合した状況では、中の一列のエレメント２１のヘッド２１１が隣り合うネック部２１２２の間に止まり、更に各掛合したヘッド２１１の先端部とそれぞれ抵触し、
該左右テープの左右対応側の上端面と下端面と内側端にそれぞれ密閉条３３を結合し、更に上下層チェーン２と縫い付けて固定し、
該スライダーの胴体中心部位４３の中間位置に突出した舌型の平衡シート４３１を具有し、
スライダー本体にある上保護板４１及び下保護板４２にそれぞれスロット及び各スロットと連通する結合スロットを設け、それにより該上下保護板と接続する結合スロットはそれぞれ一つ或いは一つ以上のローラー４０の両サイドにある軸部４０１と接続することで、上下層にある各ローラー４０を上下層チェーン２が掛合した後の中間の厚みの中に位置させることを特徴とする二層式おたまじゃくし状エレメントファスナーの構造。
【請求項８】
該左右テープは塗布の方法を用いて軟性の密閉条を結合、或いは該左右テープを織る際に軟性密閉条を織り込み、或いは該左右テープを織る際に、糸を捻転して軟性のコード(ＣＯＲＤ)を形成し、上下層を掛合した後、内部スペースを埋めるために使用し、爆裂防止作用を具有し、
また、上下層のエレメントの間に接着剤を入れる及び積層処理により形成する密閉条は、防水、防気機能を具有することを特徴とする請求項７記載の二層式おたまじゃくし状エレメントファスナーの構造。
【請求項９】
前記密閉条は軟性プラスティック或いは軟性ゴムであることを特徴とする請求項８記載の二層式おたまじゃくし状エレメントファスナーの構造。
【請求項１０】
該左右テープは塗布の方法を用いて左右対応側の上端面と下端面と内側端にそれぞれ密閉条３３を結合し、更に上下層チェーン２と縫い付けて固定することを特徴とする請求項７記載の二層式おたまじゃくし状エレメントファスナーの構造。
【請求項１１】
該左右テープが結合する密閉条３３は該上下層チェーン２のエレメントが形成する間隔内を埋めることを特徴とする請求項７記載の二層式おたまじゃくし状エレメントファスナーの構造。
【請求項１２】
前記スライダー４の本体の上保護板４１上方に設置する柱４１３の前側下方４１３１は、上保護板４１のスロット４１１の前端４１１１をブロックするためのものであり、
前記スライダー４の本体にある下保護板４のスロット４２１の前端は閉鎖部４２１１或いはストッパー部を具有することを特徴とする請求項７記載の二層式おたまじゃくし状エレメントファスナーの構造。
【請求項１３】
前記スライダーの本体にある上保護板４１の後に別途定位槽４１４を設置し、スプリング４５を入れ、該上保護板４１の各結合スロット４１２の前端に可動ブロック４４を設けることで、該結合スロットに設けるローラーは、前記スプリングと可動ブロックの間に位置し、該可動ブロック４４の両サイドにスライダー４４２を具有し、前記上保護板４１の結合スロット４１２に対応して設置し、
該上保護板の柱前端に溝を具有し、前記可動ブロック４４の上方に設ける嵌め込みブロックに嵌套して定位につき、該スライダーの本体にある下保護板のスロット前端は密閉部或いはストッパーを具有することを特徴とする請求項７記載の二層式おたまじゃくし状エレメントファスナーの構造。
【考案の詳細な説明】
【技術分野】
【０００１】
本考案は二層式おたまじゃくし状エレメントファスナーの構造に関し、特に一種の生地を中心に上下層がおたまじゃくし状のエレメントで組成するファスナーである。更に密閉条や更にスライダーにローラーを設置する二層式おたまじゃくし状エレメントファスナーの構造に関する。
【背景技術】
【０００２】
図１から図３に示すのは、従来のナイロンファスナーのエレメント構造である。主に円柱状のプラスティックシングル巻きで中心が螺旋形の中空コイルを呈す。該コイルは等間隔のものであり、左回りと右回りのコイルを１セットとして構成する二列のエレメント５である。相対する二列のエレメントの外側カーブにそれぞれヘッド５１及びそれに繋がるボディ５２を具有する。該従来のナイロンファスナーエレメントとテープを縫い合わせてナイロンファスナーとなる。使用する際、横向きに引っ張ると引張効果はあるが、横向きで中央に向けて押すと、エレメントの先端に抵触するものがないため、隙間が生じることで、盗人はボールペンのペン先をエレメント同士が掛合する隙間に差し込むと、左右のエレメントが裂けてしまうため、安全性に欠ける。
【０００３】
同じ創作者が中国での特許申請案第ＺＬ２００８２００８２７４７１６号では、前記の不足を改善したが、本考案では、従来技術の二層エレメントのファスナーがその他の生地や革などがバッグやテントなど関連製品に加工して使用すると、該ファスナーのエレメントは上から下に押す外力或いは下から上に突出するように力を加える場合に関わらず、或いはバッグやテントの角に使用される際、エレメントの距離と噛み具合の角度が最も変形しやすく、互いに掛合する強度を下げてしまうことを鑑みて、更なる改善が必要であった。
【先行技術文献】
【特許文献】
【０００４】
【特許文献１】中国特許申請案第ＺＬ２００８２００８２７４７１６号明細書
【考案の概要】
【考案が解決しようとする課題】
【０００５】
前記公知構造の欠点を解決するため、本考案は二層式おたまじゃくし状エレメントファスナーの構造改良を提供することを主な課題とする。
【課題を解決するための手段】
【０００６】
上述の目的を解決するために、本考案の第１の目的は、二層式おたまじゃくし状エレメントファスナーの構造改良を提供するものである。ファスナーの横向きの引張力を強化し、及びファスナーの角部分がぶつかる、或いは鋭い物に当たることで裂けらなくなるようにする。
【０００７】
本考案の第２の目的は、二層式おたまじゃくし状エレメントファスナーの構造改良を提供するものである。スライダーによってエレメントを掛合する際、左右両側のエレメントの間に挟まれている軟性の密閉条３３は、上下層チェーン２のエレメントがしっかりと掛合して緩まないことにより、軟性密閉条３３が横向きの力を受けてしっかりと抵触しあうため、防気、防水、鋭い物による衝撃によって破裂しないメリットを持つ。
【０００８】
本考案の第３の目的は、二層式おたまじゃくし状エレメントファスナーの構造改良を提供するものである。前記ファスナーを開合するスライダーを含み、該スライダー４、上下保護板４１、４２に設ける一つ或いは一つ以上のローラー４０により、摩擦を少なくし、精確にエレメントを掛合することで、密閉条が安定する。このように、従来の二層ファスナーと比べ、滑り度及び掛合の正確さがよりよくなり、更に安定して滑りやすくなる。
【０００９】
本考案の第３の目的は、二層式おたまじゃくし状エレメントファスナーの構造改良を提供するものである。前記ファスナーのスライダー４の胴体中心部位４３中間位置にある舌型の平衡シート４３１を介し、エレメントを掛合する際にずれることなくスムーズに掛合することができる。
【考案の効果】
【００１０】
本考案は二層のチェーンを持つエレメント２１を具有することで、鋭い先端が当たっても、該上層が下向きに曲がるが、下方に位置する下層チェーン２の左右両サイドのおたまじゃくし状エレメント２１はしっかり掛合するため、上層チェーン２のエレメント２１は下向きに曲がることがない。内外からの力を受けず、及び角の部分に位置しても変形できるが功能は変わらない。
また、左右のテープに該上下層チェーン２のエレメントが形成する間隔内を埋める密閉条を設けることで、エレメントがしっかりと掛合して緩まず、しっかりと抵触しあうため、防気、防水、鋭い物による衝撃によって破裂しないメリットを具有する。
更に、前記ファスナーの上下保護板４２にそれぞれ一つ或いは一つ以上のローラー４０を設置し、該ローラー４０のローラー面４０２をしっかりエレメントに抵触させることで、上下左右にあるエレメントヘッドが同じ高さで掛合することを確保できる。また、スライダー４の胴体中心部位４３の中間位置に突出した舌型の平衡シート４３１を具有することで、エレメントを掛合する際にずれることなくスムーズに掛合することができる。
【図面の簡単な説明】
【００１１】
【図１】従来技術のナイロンファスナーエレメントの前視図である。
【図２】左右方向に相対して回転する二列の従来技術のナイロンファスナーエレメントの俯瞰図である。
【図３】従来技術のナイロンファスナーエレメントの掛合状況の俯瞰平面図である。
【図４】本考案実施例のおたまじゃくし状のエレメントの前視図である。
【図５】本考案実施例の該左右方向に相対して回転するおたまじゃくし状ファスナーエレメントの俯瞰図である。
【図６】本考案実施例のおたまじゃくし状エレメントを掛合した状態の俯瞰平面拡大略図である。
【図７】本考案実施例の片側組合せの断面略図である。
【図８】本考案実施例の左右両側組合せの断面略図である。
【図９】本考案第二実施例の一部平面拡大略図である。
【図１０】本考案の第三実施例の片側組合せの断面略図である。
【図１１】本考案の第三実施例の左右両側組合せの断面略図である。
【図１２】本考案の第三実施例にある密閉条が予めコの字型に押し出されて成形した平面略図である。
【図１３】本考案の第三実施例の密閉条が予めコの字型に押し出されて成形し、且つテープを固定した後の平面略図である。
【図１４】本考案の第三実施例の密閉条が予め押し出されて円形棒状に成形する平面図である。
【図１５】本考案の第三実施例の密閉条が予め押し出されて長方形棒状に成形する平面図である。
【図１６】本考案の第三実施例の円形棒状の密閉条が織込む方法を持って、直接端に設置して編みこんだ略図である。
【図１７】本考案の第三実施例の長方形棒状の密閉条が織込む方法を持って、直接端に設置して編みこんだ略図である。
【図１８】本考案の第四実施例の一部組合せ断面拡大略図である。
【図１９】本考案の第四実施例のスライダーの正面拡大図である。
【図２０】本考案の第四実施例のスライダーの俯瞰拡大図である。
【図２１】本考案の第四実施例のスライダーの背面拡大図である。
【図２２】本考案の第四実施例のスライダーの柱が定位につく前の側視略図である。
【図２３】本考案の第四実施例のスライダーの柱が定位についた後の側視動作略図である。
【図２４】本考案の第五実施例の一部組合せ断面拡大略図である。
【図２５】本考案の第六実施例の一部組合せ断面拡大略図である(柱が定位についてない)。
【図２６】本考案の第六実施例のスライダーの立体拡大図である(柱が定位についてない)。
【図２７】本考案の第六実施例のスライダーの俯瞰拡大略図である(柱が定位についてない)。
【図２８】本考案の第六実施例のスライダーの柱が定位につく前の側視略図である。
【図２９】本考案の第六実施例のスライダーの柱が定位についた後の側視動作略図である。
【図３０】本考案の第六実施例のスライダーの胴体中心部位の断面再拡大略図である。
【図３１】本考案の第六実施例はス交換可能スライダーの可動ブロックを後ろに押す実施状態側視略図である。
【図３２】本考案の第六実施例は交換可能スライダーの実施状態の側視略図である。
【考案を実施するための形態】
【００１２】
図７及び図８に示すように、本考案の二層式おたまじゃくし状エレメントファスナーは、中間の左右に位置するテープ１及び該左右テープ１の上方及び下方に縫い付けている上層チェーン２と下層チェーン２を含む。該上下層チェーン２はそれぞれ左回りと右回りの螺旋型プラスティックコイルが一セットで二列のエレメント２１を形成する(図５、図６を参照)。また、図４、図５に示すように、各エレメント２１はヘッド２１１とそれの前端に繋がるボディ２１２を具有し、二列のエレメント２１のヘッド２１１とボディ２１２は互いに等間隔で掛合する(図６を参照)。
【実施例】
【００１３】
該特徴とは、該上層下層チェーン２の各ヘッドとボディ２１２はそれぞれ押されて窪み２１２０を形成し、それによってボディ２１２の両側に拡大した凸縁部２１２１及びヘッド２１１と繋がるネック部２１２２を形成する。それにより各エレメント２１はおたまじゃくし状の輪郭を形成し、エレメントを掛合する際、一列のエレメント２１のヘッド２１１が隣り合うネック部２１２２の間に止まり、更に各掛合したヘッド２１１の先端部とそれぞれ抵触する。つまり、横向きに外側に引っ張ると、互いに掛合する作用を具有し、中央に向けて押すと、左右両サイドにあるヘッド２１１は拡大した凸縁部２１２１が互いに抵触する効果を持つため(図６の点線矢印の通り)、左右のテープ１に縫い付ける際、横向きに引っ張られても押されても、緩まないことを確保できる。前記特徴で組成するのは、中央の左右テープ１及び左右テープ１の上方下方にある上層下層チェーン２によって構成する二層式おたまじゃくし状エレメントファスナー(図８を参照)を含み、一般の金属或いは繊維強化プラスティックファスナーと同じく、いずれも二層歯(二面歯)を呈する。本考案の左右にあるテープ１の中央に互いにしっかり掛合する上下層チェーン２により、テープ１がその他の生地或いは革地で作られるバッグやテントなど関連製品に加工された後、使用時、上から下に押す外力或いは下から上に突出するように力を加える場合に関わらず、或いはバッグやテントの角に使用される際、エレメントの距離及び掛合角度が最も変形しやすく、それにより掛合強度が弱くなるなどの従来技術の欠点を本考案は改善することができる。上方に位置する上層チェーン２のエレメント２１が鋭い先端に当たると、該上層が下向きに曲がるが、下方に位置する下層チェーン２の左右両サイドのおたまじゃくし状エレメント２１はしっかり掛合するため、上層チェーン２のエレメント２１は下向きに曲がることがない。内外からの力を受けず、及び角の部分に位置しても変形できるが功能は変わらない。且つファスナーの横向きの引っ張る力を強め、及び角にあるファスナーもぶつかる或いは鋭い物に当たることで裂けることがない(図８を参照)。
【００１４】
更に強固性及び品質を高めるために、図９に示す本考案第二実施例のように、縫い合わせた後の二層式のナイロンファスナー或いは縫い合わせた後染色した二層式のナイロンファスナーは、更にエレメント２１を熱プレスで成形することができる。図９に示す第二実施例の二層式エレメントのファスナーは左右にテープ(図に未掲載)を具有し、及び左右テープに上方下方にある上層チェーン２と下層チェーン２をステッチ２３で縫い付ける。その上下層チェーン２はそれぞれ左回り及び右回りの螺旋状のプラスティックコイルを一セットとする二列のエレメント２１を具有し、各エレメント２１は比較的太い中心糸２０を使用する。また、各エレメント２１にヘッド２１１及びそれに繋がるボディ２１２を具有し、二列のエレメント２１のヘッド２１１及びボディ２１２は互いに等間隔で掛合する。
【産業上の利用可能性】
【００１５】
該上下層チェーン２のエレメント２１を熱プレスする位置は、それぞれ左右エレメント２１の左右ヘッド２１１が互いに噛み合うボディ２１２のネック部後端(従来技術のネック部は円形体)であり、熱プレスによる整形後、左右エレメント２１のボディ２１２のネックコイルの上縁の円形体直径部分が熱により、溶けて窪み２１２３を形成し、且つエレメント２１のボディ２１２両サイドの断面が拡大して凸縁２１２４を形成する。該凸縁２１２４は対応する方向にある互いに掛合するヘッド２１１の動きを制限して適切に抵触するため、前述の第一実施例にて述べたおたまじゃくし状エレメントの左右ヘッド２１１が互いに掛合して緩まない効果に達する。図９に示すように、鋭い物(例えばボールペン)をチェーン２に差すとき、空間形態上でわずかステッチ２３とネック部の凸縁２１２４との間にある極小空間(Ｓ)(約０.３ｍｍ)に該鋭い物の先端部が入るのみである。該先端部を下向きに押すと、左右のヘッド２１１が互いに掛合し、凸縁２１２４の部位が押されてやや外向きに開く際には、既に対応方向のヘッド２１１に抵触する。該ヘッド２１１は対応方向の凸縁２１２４部位に遮られて、前に行けず、左右の相隣するヘッド２１１を押すこともできず(互いに抵触しているため)、よって突き刺されることなく、エレメントが外れることがない。本考案第二実施例では強固度を増強し、及び品質がアップする実用性がある。
【００１６】
図１０〜図１１に示すのは、本考案の第三実施例である。主に該左右テープ１を軟性プラスティックの押出機によって加工形成し、それぞれ左右テープ１の左右対応側の上端面と下端面を結合し、内側端に軟性密閉条３３を結合したあと、更に上下層チェーン２と縫い付けて固定する。該軟性の密閉条３３はＣ字型を呈し、輪郭は楕円形、円形或いは方形とすることができる。上下層チェーン２と縫い合わせた後、それがちょうど該上下層チェーン２のエレメントが形成する間隔内を埋めることになる(図１１を参照)。スライダー(第三実施例では未掲載)によってエレメントが掛合する際、左右両側のエレメントの間に挟まれている軟性の密閉条３３は、上下層チェーン２のエレメントがしっかりと掛合して緩まないことにより、軟性密閉条３３が横向きの力を受けてしっかりと抵触しあうため、防気、防水、鋭い物による衝撃によって破裂しないメリットを持つ。おたまじゃくし状エレメント２１は一般のナイロンファスナーに比べ、掛合したあと緩まない特性を持つ。よって、Ｃ字型の軟性密閉条３３は押されて、エレメントの間に詰め込まれても、角の角度により緩むことなく、全面的に防水、防気、破裂防止の新しい効果がある。
【００１７】
更に前述の左右テープ１と結合するＣ字型の軟性密閉条３３は、予め一般の押出機より軟性プラスティックペレットをコの字型に押出して密閉条３３’に変えることができ(図１２を参照)、一巻きずつ巻いてから最後に左右のテープ１と縫い付けて固定し(図１３を参照)、最後に上下層チェーン２と縫い付けて完成である。或いは軟性プラスティックペレットを押出して円形の長い軟性プラスティック条３３０”を形成し(図１４を参照)、或いは方形の長い軟性プラスティック条３３０”’に形成する(図１５を参照)。更に繊維強化プラスティックファスナー或いは金属ファスナーの織込む方法のように、直接サイドに置いて織り、且つ左右テープ１の内側端にある密閉条３３”、３３”’と結合する(図１６及び図１７を参照)。そして積層処理ののち、更に上下層チェーン２と縫い付ける。左右のテープ１を織る際に、軟性の密閉条３３”、３３”’を織りこむ、或いは左右テープ１を織る際に、糸を捻転して軟性のコード(ＣＯＲＤ)(図に未掲載)を形成し、上下層を合わせた後、内部スペースを埋めるために使用し、爆裂防止作用を具有する。また、積層処理によって形成する密閉条の特性は、防気、防水の機能を具有する。前記左右コードのついたテープ１は、上下チェーン２と縫い合わせて固定し、染色過程を経て、更に上下層のエレメントの間に接着剤を入れる及び積層乾燥処理を行うことで、防水、防気、爆裂防止機能を具有する。
【００１８】
前記密閉条３３、３３’、３３”、３３”’は軟性プラスティック或いは軟性ゴムとする。更に前記左右テープ１に塗布或いは未塗布の方法で、左右対応する端の上端面、下端面と内側端に密閉条３３、３３’を結合してから、更に上下層チェーンを縫い付けて固定し、染色後積層乾燥処理を行って完成する。
【００１９】
前記の方法ではいずれも上下チェーン２と左右テープ１を縫い付けて完成する構造であり、いずれも防水、防気、爆裂防止及び鋭い物対策機能に達することができる。
【００２０】
二層式おたまじゃくし状エレメントファスナーは防水、防気、爆裂防止の機能を具有するが、スライダーとエレメントを合わせると、滑りがキツイ、引っ張り難い難点があるため、本考案では更にスライダーを改良する。エレメントを掛合した後、ヘッドとヘッドが結合する部分について、図１８に示すのは、本考案の第四実施例である。本考案は更に前記二層式おたまじゃくし状エレメントファスナーを開合するスライダー４を含む。該スライダー４の本体は胴体中心部位４３を具有し(図２１〜図２３を参照)、及び該胴体中心部位４３の上下方に上保護板４１及び下保護板４２を設置し、該上保護板４１上方に柱４１３を具有する。該スライダー４はローラータイプのローラー４０を使用し、まるで自動車の車輪が道路を走るように、該スライダー４の本体にある上保護板４１と下保護板４２にそれぞれスロット４１１、４２１を設け、及び各スロット４１１、４２１と連通する結合スロット４１２、４２２を設置する。更に上下保護板４１、４２の結合スロット４１２、４２２を介し、それぞれ一つ或いは一つ以上のローラー４０の両サイドにある軸部４０１と接続することで、上下層にある各ローラー４０を上下層チェーン２が掛合した後の中間の厚みの中に位置させる。ギアとギアがしっかり掛け合うように、上下保護板４１、４２に設置するローラー４０のローラー面４０２はしっかりエレメントに抵触する。このように、上下層左側及び右側のエレメントヘッドが同じ高さで掛合するのを確保できるため、該スライダー４、上下保護板４１、４２に設ける一つ或いは一つ以上のローラー４０により、摩擦を少なくし、精確にエレメントを掛合することができる。このように、従来の二層ファスナーと比べ、滑り度及び掛合の正確さがよりよくなり、更に安定して滑りやすくなる。
【００２１】
前記スライダー４の本体の上保護板４１上方に設置する柱４１３の前側下方４１３１(図２３を参照)は、上保護板４１のスロット４１１の前端４１１１(図２０を参照)をブロックするためのものであり、上保護板４１のローラー４０が離脱するのを防止する。前記スライダー４の本体にある下保護板４のスロット４２１の前端は閉鎖部４２１１(図２１を参照)、或いはストッパー部であり、該下保護板４２のローラー４０が離脱するのを防止する。図２３に示す中心線は、該上下保護板４１、４２がそれぞれ設置するローラー４０と対称する同軸心である。
【００２２】
図２４に示すのは本考案の第五実施例である。前記第四実施例との違いは、該左右テープ１を軟性プラスティックの押出機によって加工形成し、それぞれ左右テープ１の左右対応側の上端面と下端面と内側端に密閉条３３を結合したあと、更に上下層チェーン２と縫い付けて固定し、その上前記第三実施例のスライダー４を付ける。スライダー本体にある上保護板４１及び下保護板４２の結合スロット４１２、４２２は、それぞれ一つ或いは一つ以上のローラー４０の両サイドにある軸部４０１と接続することで、上下層にある各ローラー４０を上下層チェーン２が掛合した後の中間の厚みの中に位置させる。ギアとギアがしっかり掛け合うように、上下保護板４１、４２に設置するローラー４０のローラー面４０２はしっかりエレメントに抵触する。こうすれば上下左右にあるエレメントヘッドが同じ高さで掛合することを確保できる。該スライダー４、上下保護板４１、４２に設ける一つ或いは一つ以上のローラー４０により、摩擦を少なくし、精確にエレメントを掛合することができる。このように、従来の二層ファスナーと比べ、滑り度及び掛合の正確さがよりよくなり、更に安定して滑りやすくなる。
【００２３】
図２５〜図３０に示すのは本考案の第六実施例である。前記第三実施例の主な内容と同じであるが、本実施例では更にスライダー４の本体にある胴体中心部位４３(図２７〜図３０を参照)の中間位置に突出した舌型の平衡シート４３１を具有することで、エレメントを掛合する際にずれることなくスムーズに掛合することができる。スライダー４は同様に該胴体中心部位４３に上保護板４１及び下保護板４２を接続し、該上保護板４１上方に柱４１３を具有する。該スライダー４にローラー４０を設置し、本体の上下保護板４１、４２はそれぞれスロット４１１、４２１及び各スロット４１１、４２１と連通する結合スロット４１２、４２２を設ける。更に該上下保護板４１、４２の結合スロット４１２、４２２は、それぞれ一つ或いは一つ以上のローラー４０の両サイドにある軸部４０１と接続することで、上下層にある各ローラー４０を上下層チェーン２が掛合した後の中間の厚みの中に位置させる。ギアとギアがしっかり掛け合うように、上下保護板４１、４２に設置するローラー４０のローラー面４０２はしっかりエレメントに抵触する。こうすれば上下左右にあるエレメントが同じ高さで掛合する。スライダー４の上下保護板４１、４２に設ける一つ或いは一つ以上のローラー４０を設置することで、摩擦を少なくし、精確にエレメントを掛合することができる。このように、従来の二層ファスナーと比べ、滑り度及び掛合の正確さがよりよくなり、更に安定して滑りやすくなる。更に前記スライダー４の本体の上保護板４１上方に設置する柱４１３の前側下方４１３１(図２７、図２８を参照)は、上保護板４１のスロット４１１の前端４１１１(図２６を参照)をブロックするためのものであり、上保護板４１のローラー４０が離脱するのを防止する。前記スライダー４の本体にある下保護板４のスロット４２１の前端は閉鎖部(本実施例を未掲載)、或いはストッパー部であり、該下保護板４２のローラー４０が離脱するのを防止することができる。第六実施例もまた少し修正することができる。スライダー４の引き手(図に未掲載)を交換できるものにし、図３１に示すのは、該可動ブロック４４が後端に推移した後の状態である。この時スライダー４の柱４１３の先端に隙間を形成するため、柱４１３に入れていた引き手(図に未掲載)を取り出してから新しい引き手(図に未掲載)を入れる。手を離すと、該可動ブロック４４はスプリング４５の弾力により、ローラー４０が可動ブロック４４と共に前端に移動する。該可動ブロック４４の上方に設ける嵌套部４４１を柱４１３の先端にある溝４１３２(図３２を参照)に嵌套することで、新しく柱４１３に入れた引き手(図に未掲載)が離脱するのを防止する。図３１及び図３２に示す実施状態では、スライダーの胴体中心部位４３の中間位置に突出した舌型の平衡シート４３１を具有し、該上下保護板４１、４２はそれぞれ結合スロット４１２、４２２を設ける。該上保護板４１の後に別途定位槽４１４を設置し、スプリング４５を入れる。該上保護板４１の結合スロット４１２の前端に可動ブロック４４を設けることで、前記ローラー４０をスプリング４５と可動ブロック４４の間に位置する。該可動ブロック４４の両サイドにスライダー４４２を具有し、前記上保護板４１の結合スロット４１２に対応して設置する。該可動ブロック４４は同時に、上保護板４１の結合スロット４１２にあるローラー４０が離脱するのを防止することができる。
【００２４】
本考案は下記の効果を具有する：
1.テープ１にある上下層チェーン２により、テープ１がその他の生地、革などの材料を使ったバッグ或いはテントなどの関連製品に加工した後、使用する際、上から下に押す外力或いは下から上に突出するように力を加える場合に関わらず、或いはバッグやテントの角に使用される際、エレメントの掛合角度が最も変形しやすく、それにより掛合の強度が弱くなるなど、従来技術の欠点を本考案は改善することができる。上方に位置する上層チェーン２のエレメント２１が鋭い先端に当たると、該上層が下向きに曲がるが、下方に位置する下層チェーン２の左右両サイドのおたまじゃくし状エレメント２１はしっかり掛合するため、上層チェーン２のエレメント２１は下向きに曲がることがない。内外からの力を受けず、及び角の部分に位置しても変形できるが功能は変わらない。且つファスナーの横向きの引っ張る力を強め、及び角にあるファスナーもぶつかる或いは鋭い物に当たることで裂けることがない。
【００２５】
２.熱プレスによる整形後、左右エレメント２１のボディ２１２のネックコイルの上縁の円形体直径部分が熱により、溶けて窪み２１２３を形成し、且つエレメント２１のボディ２１２両サイドの断面が拡大して凸縁２１２４を形成する。該凸縁２１２４は対応する方向にある互いに掛合するヘッド２１１の動きを制限して適切に抵触するため、前述の第一実施例にて述べたおたまじゃくし状エレメントの左右ヘッド２１１が互いに掛合して緩まない効果に達する。図９に示すように、鋭い物(例えばボールペン)をチェーン２に差すとき、空間形態上でわずかステッチ２３とネック部の凸縁２１２４との間にある極小空間(Ｓ)(約０.３ｍｍ)に該鋭い物の先端部が入るのみである。該先端部を下向きに押すと、左右のヘッド２１１が互いに掛合し、凸縁２１２４の部位が押されてやや外向きに開く際には、既に対応方向のヘッド２１１に抵触する。該ヘッド２１１は対応方向の凸縁２１２４部位に遮られて、前に行けず、左右の相隣するヘッド２１１を押すこともできず(互いに抵触しているため)、よって突き刺されることなく、エレメントが外れることがない。よって、強固度を増強し、及び品質がアップする実用性である。
【００２６】
３.密閉条３３はちょうど該上下層チェーン２のエレメントが形成する間隔内を埋めることになる(図１０を参照)。スライダーによってエレメントが掛合する際、左右両側によってエレメントの間に挟まれている密閉条３３は、上下層チェーン２のエレメントがしっかりと掛合して緩まないことにより、密閉条３３が横向きの力を受けてしっかりと抵触しあうため、防気、防水、鋭い物による衝撃によって破裂しないメリットを持つ。おたまじゃくし状エレメント２１は一般のナイロンファスナーに比べ、掛合したあと緩まない特性を持つ。よって、密閉条３３は押されて、エレメントの間に詰め込まれても、角の角度により緩むことはできないが、全面的に防水、防気、破裂防止の効果がある。
【００２７】
４. 更に改良したスライダー４を設置するため、該スライダー４の上下保護板４１、４２の結合スロット４１２、４２２を介し、それぞれ一つ或いは一つ以上のローラー４０の両サイドにある軸部４０１と接続することで、上下層にある各ローラー４０を上下層チェーン２が掛合した後の中間の厚みの中に位置させる。ギアとギアがしっかり掛け合うように、上下保護板４１、４２に設置するローラー４０のローラー面４０２はしっかりエレメントに抵触する。このように、上下層左側及び右側のエレメントヘッドが同じ高さで掛合するのを確保できるため、該スライダー４、上下保護板４１、４２に設ける一つ或いは一つ以上のローラー４０により、摩擦を少なくし、精確にエレメントを掛合することができる。このように、従来の二層ファスナーと比べ、滑り度及び掛合の正確さがよりよくなり、更に安定して滑りやすくなる。
【００２８】
５.スライダー４の胴体中心部位４３中間位置にある舌型の平衡シート４３１を介し、エレメントを掛合する際にずれることなくスムーズに掛合することができる。
【００２９】
スライダー４の引き手(図に未掲載)は交換可能型であり(図３１、図３２を参照)、変換性が増し、装飾効果もある。
【符号の説明】
【００３０】
１  テープ
２  上下層チェーン
２０  中心線
２１  エレメント
２１１  ヘッド
２１２  ボディ
２１２０  ２１２３  窪み
２１２１  凸縁部
２１２２  ネック部
２１２４  凸縁
２３  ステッチ
３３、３３’、３３”、３３’”  密閉条
３３０”、３３０’”  プラスティック条
４  スライダー
４０  ローラー
４０１  軸部
４０２  ローラー面
４１  上保護板
４１１  ４２１  スロット
４１１１  前端
４１２  ４２２  結合スロット
４１３  柱
４１３１  前側下方
４１３２  溝
４１４  定位槽
４２  下保護板
４２１１  閉鎖部
４３  胴体中心部位
４３１  平衡シート
４４  可動ブロック
４４１  嵌套部
４５  スプリング
【図１】
0003173138.tif 000003
【図２】
0003173138.tif 000004
【図３】
0003173138.tif 000005
【図４】
0003173138.tif 000006
【図５】
0003173138.tif 000007
【図６】
0003173138.tif 000008
【図７】
0003173138.tif 000009
【図８】
0003173138.tif 000010
【図９】
0003173138.tif 000011
【図１０】
0003173138.tif 000012
【図１１】
0003173138.tif 000013
【図１２】
0003173138.tif 000014
【図１３】
0003173138.tif 000015
【図１４】
0003173138.tif 000016
【図１５】
0003173138.tif 000017
【図１６】
0003173138.tif 000018
【図１７】
0003173138.tif 000019
【図１８】
0003173138.tif 000020
【図１９】
0003173138.tif 000021
【図２０】
0003173138.tif 000022
【図２１】
0003173138.tif 000023
【図２２】
0003173138.tif 000024
【図２３】
0003173138.tif 000025
【図２４】
0003173138.tif 000026
【図２５】
0003173138.tif 000027
【図２６】
0003173138.tif 000028
【図２７】
0003173138.tif 000029
【図２８】
0003173138.tif 000030
【図２９】
0003173138.tif 000031
【図３０】
0003173138.tif 000032
【図３１】
0003173138.tif 000033
【図３２】
0003173138.tif 000034